Podtech/llm-jp-corpus-v4-ja_patent huggingface dataset:
【手続補正書】
【提出日】平成18年6月15日(2006.6.15)
【手続補正１】
【補正対象書類名】明細書
【補正対象項目名】特許請求の範囲
【補正方法】変更
【補正の内容】
【特許請求の範囲】
【請求項１】
一連の複数の固定ねじでハウジング部材を螺合固定し、各固定ねじは、ボルト頭と、ねじ軸と、ねじ山を有し、ハウジング上部のねじ穴を通じてねじ軸が挿入され、ハウジングの底部の適合する雌ねじとねじ山が螺合し、従って前記固定ねじは前記ハウジング上部で支持され、解放可能に前記ハウジング上部とハウジング下部とを接続する接続ねじ機構であって、前記接続ねじは、ねじ軸（４）とボルト頭（３）との変移領域に締まり嵌めネック部（２）とを含み、前記固定ねじが螺合されると、締まり嵌めネック部（２）に近接するねじ穴（８）の外部領域が変形し、対シーリング面（１１）がこの領域に形成され、締まり嵌めネック部（２）と共にシール接続を形成することを特徴とするねじ接続機構。
【請求項２】
固定ねじは、一体部材としての締まり嵌めネック部（２）を含む請求項１記載のねじ接続機構。
【請求項３】
対シーリング面（１１）の領域からの部材拡張を受容するための空隙には、固定ねじの締まり嵌めネック部（２）に対向するねじ穴（８）の領域の円周間隙を含む請求項１又は２記載のねじ接続機構。
【請求項４】
前記空隙は、トリミング（２５）又はスキミング（２６）によって形成される請求項３記載のねじ接続機構。
【請求項５】
固定ねじ（１）のボルト頭（３）は、締まり嵌めネック部（２）に対向するボルト接続面（９）を含み、固定ねじが螺合されると、ボルト頭の接続面に近接する領域における適合ねじ穴を囲むハウジング上部の接続面と締まり嵌め固定される請求項１から４のいずれかに記載のねじ接続機構。
【請求項６】
周縁接面連続変移部（３７）が、固定ねじ（１）の締まり嵌めネック部（２）とボルト頭の支持面（９）の間に設けられている請求項５記載のねじ接続機構。
【請求項７】
締まり嵌めネック部（２）の高さ（１３）及び／又は傾斜（１４）は、ねじ軸（４）に関して接続穴（８）に対して調整可能である請求項１から５のいずれかに記載のねじ接続機構。
【請求項８】
締まり嵌めネック部（２）の高さ（１３）及び／又は傾斜（１４）は、ねじ軸（４）に関して接続穴（８）の材料特性に対して調整可能である請求項１から５のいずれかに記載のねじ接続機構。
【請求項９】
締まり嵌めネック部（２）がシール錐の錐台の形状を含み、その規定部がボルト頭（３）に対向するものである請求項１から８のいずれかに記載のねじ接続機構。
【請求項１０】
締まり嵌めネック部（２）が球状扇形状または双曲面扇形状であり、その規定部がボルト頭（３）に対向するるものである請求項１から９のいずれかに記載のねじ接続機構。
【請求項１１】
締まり嵌めネック部（２）は、少なくともその表面が強化鋼で形成されている請求項１から１０のいずれかに記載のねじ接続機構。
【請求項１２】
錐状の締まり嵌めネック部（２）を含むねじ（１）。
【請求項１３】
締まり嵌めネック部（２）とボルト頭（３）に接面連続変移部（３７）とを含む請求項１２に記載のねじ。
【請求項１４】
シール錐を通じて延設されたねじ（１）と組み合わさったシール接続を形成するためのシール錐部材（４０）であって、円径あるいは非円径の断面形状のねじ軸を通過せしめる内部穴と、外部締まり嵌めネック部（２）、及びシーリング面（４２）とを備え、内部穴の軸に対して法線をなすボルト頭の締まり嵌めを形成することを特徴とするシール錐部材（４０）。
【請求項１５】
外部締まり嵌めネック部（２）は錐形状である請求項１４に記載のシール錐部材（４０）。
【請求項１６】
外部締まり嵌めネック部（２）は、錐に向かって接面連続変移部（３７）を形成する請求項１５に記載のシール錐部材（４０）。
【請求項１７】
ハウジング部材の空隙と組み合わさるように形成されたシーリングの外形は、温度変化、シール錐の材料、及び異なった温度膨張係数によって、ハウジングが空隙６０及びねじの錐表面６４に対して拡張したり収縮したりするが、基本的には変化せず、これによって締め付けトルク及び気密度を連続的に保証する請求項１６に記載のシール錐部材（４０）。
【請求項１８】
ギアハウジング及びクランクシャフトハウジングから成るグループから選択されたハウジングの第１ハウジング部材と第２ハウジング部材を、複数の固定ねじを用いて密に接続する方法であって、
前記固定ねじは、ボルト頭と、前記ボルト頭に接続し、第１軸部にねじ山を有するねじ軸と、前記ボルト頭と前記第１軸部の間の第２軸部に設けた締まり嵌めネック部とを備え、前記締まり嵌めネック部を前記第１ハウジング部材よりも硬い材料で形成し、かつ、前記第１ハウジング部材のねじ穴周縁の材質に応じて、ねじ軸に対する前記締まり嵌めネック部の高さと傾斜の少なくとも１つを調整する工程と、
前記固定ねじを、ワッシャー無しで、前記第１ハウジング部材のねじ穴に挿入する工程と、
前記固定ねじが前記第１ハウジング部材の上部に接触して前記第１ハウジング部材と前記第２ハウジング部材を接続するように、前記第２ハウジング部材の雌ねじに対してねじ軸を螺合する工程と、
前記固定ねじを更にねじ込むことにより、前記締まり嵌めネック部に近接する前記第１ハウジング部材のねじ穴周縁の外側領域を変形させ、前記締まり嵌めネック部と結合する対シーリング面を形成して前記締まり嵌めネック部と共にシーリング接合を形成する工程とを備えることを特徴とする方法。
【請求項１９】
前記締まり嵌めネック部は、ねじ軸とボルト頭との間に丸みのある変移部を備えるものである請求項１８記載の方法。
【請求項２０】
前記締まり嵌めネック部は、円錐状に形成される請求項１８記載の方法。
【請求項２１】
前記固定ねじは、前記第２軸部と前記ボルト頭との間の変移領域に位置する第３軸部に接面連続変移部を更に備える請求項１８記載の方法。
【請求項２２】
ギアハウジング又はクランクシャフトハウジングから成るハウジングの第１ハウジング部材と第２ハウジング部材を、前記第１ハウジング部材よりも硬い材料で形成された複数の固定ねじを用いて密に接続する方法であって、
前記複数の固定ねじのうちの少なくとも１つは、ボルト頭と、ボルト頭に接続して設けられるねじ軸とを備えた構成とし、少なくとも１つのシール錐部材と組み合わせて、前記ねじ軸を該シール錐部材の内部穴に挿通してから前記第１ハウジング部材のねじ穴に挿入する工程と、
前記シール錐部材を、円形断面若しくは非円形断面とし、外側に設けた締まり嵌めネック部と、内部穴の軸に対して法線をなし、ボルト頭の締まり嵌めを形成するシーリング面とを備えると共に、前記第１ハウジング部材のねじ穴周縁の材質に応じて前記締まり嵌めネック部の高さと傾斜の少なくとも１つを調整しておく工程と、
前記固定ねじを前記第２ハウジング部材のねじ穴に螺合することにより、前記締まり嵌めネック部に近接するねじ穴周縁の外側領域を変形させ、前記締まり嵌めネック部と結合する対シーリング面を形成して前記締まり嵌めネック部と共にシーリング接合を形成する工程とを備えることを特徴とする方法。
【請求項２３】
前記締まり嵌めネック部は、ねじ軸とボルト頭との間に丸みのある変移部を備えるものである請求項２２記載の方法。
【請求項２４】
前記締まり嵌めネック部は、円錐状に形成される請求項２２記載の方法。
【手続補正書】
【提出日】平成18年6月12日(2006.6.12)
【手続補正１】
【補正対象書類名】特許請求の範囲
【補正対象項目名】全文
【補正方法】変更
【補正の内容】
【特許請求の範囲】
【請求項１】
薄く平坦な実質的に剛性の厚みが０．８２８ｍｍよりも厚くない基板と、
前記基板内に配置された電気回路と、
前記電気回路に結合された電流源と、
前記電流源を前記電気回路に選択的に接続するスイッチと、
エンボス加工された英数字の標章と
を含むウォレット・カード。
【請求項２】
前記電気回路が発光ダイオードを含む請求項１に記載のウォレット・カード。
【請求項３】
前記スイッチが前記基板に配置された感圧スイッチを含む請求項１に記載のウォレット・カード。
【請求項４】
前記基板内で前記発光ダイオードに隣接して配置された拡大レンズをさらに含む請求項１に記載のウォレット・カード。
【請求項５】
機械可読情報を担持する、前記基板に貼られたストリップをさらに含む請求項４に記載のウォレット・カード。
【請求項６】
前記ウォレット・カードが、金融取引カードである請求項１に記載のウォレット・カード。
【請求項７】
前記エンボス加工された英数字の標章が、金融取引口座番号を含む請求項６に記載のウォレット・カード。
【請求項８】
前記発光ダイオードが発する光をコリメートする、前記基板内に配置されたコリメーティング・レンズをさらに含む請求項１に記載のウォレット・カード。
【請求項９】
第１コア部材の第１表面に第１トランザクション・カード・グラフィックスを印刷することと、
前記第１コア部材の前記第１表面に第１オーバーレイを積層することと、
前記第１コア部材の第２表面に空洞の経路を形成することと、
前記空洞に電気回路を設置することと、
前記空洞を充てんすることと、
第２コア部材の第１表面に第２トランザクション・カード・グラフィックスを印刷することと、
前記第２コア部材の前記第１表面に第２オーバーレイを積層することと、
前記第１コア部材の前記第２表面を前記第２コア部材の第２表面に固定することと
を含む、電気回路を含むウォレット・カードを作る方法。
【請求項１０】
前記第１コア部材と前記第２コア部材が、それぞれのシートに配置され、各シートが複数のコア部材を含む請求項９に記載の方法。
【請求項１１】
前記電気回路が発光ダイオードを含む請求項９に記載の方法。
【請求項１２】
前記第１コア部材が接着剤を用いて前記第２コア部材に固定される請求項９に記載の方法。
【請求項１３】
前記第１コア部材が前記第２コア部材に積層される請求項９に記載の方法。
【請求項１４】
前記空洞を充てんした後に、前記第２表面と同一平面に、前記空洞を充てんした材料を除去するために、前記第１コア部材を加工することをさらに含む請求項９に記載の方法。
【請求項１５】
前記電気回路は電池を含む請求項９に記載の方法。
【請求項１６】
前電気回路はスイッチを含む請求項９に記載の方法。
【請求項１７】
前記電気回路は前記空洞の少なくとも一部に導電インクを印刷して形成することを含む請求項９に記載の方法。
【請求項１８】
前記電気回路は前記空洞の少なくとも一部に金属層を堆積することによって形成する請求項９に記載の方法。
【請求項１９】
前記電気回路の形成は、前記金属化をエッチングすることをさらに含む請求項１８に記載の方法。
【請求項２０】
前記ウォレット・カードの厚みは０．８２８ｍｍよりも大きくない請求項９記載の方法。
【手続補正書】
【提出日】平成18年5月23日(2006.5.23)
【手続補正１】
【補正対象書類名】特許請求の範囲
【補正対象項目名】全文
【補正方法】変更
【補正の内容】
【特許請求の範囲】
【請求項１】
透明な導電性表面と、
前記導電性表面上に配置される２本以上の多角形の平行な行の導電性セグメントであって、それぞれの行のそれぞれの周縁部は、２つの端部の導電性セグメントの間に配置される１つまたは複数の中間部の導電性セグメントを含む導電性セグメントと、を備える物体であって、
それぞれの行のそれぞれの周縁部において、前記中間部のセグメントは長さがほぼ等しく、前記のセグメントは、ほぼ等しい長さのギャップによって分離され、
それぞれの周縁部において、該周縁部に沿う内側の行における前記中間部のセグメントの長さは、同じ周縁部に沿う外側の行における前記中間部のセグメントの長さよりも短く、
ある行における少なくとも１つのセグメントは、１つまたは複数の導電性バーを介して、隣接する行におけるセグメントに接続される物体。
【請求項２】
多角形が矩形である、請求項１に記載の物体。
【請求項３】
多角形が四角形である、請求項１に記載の物体。
【請求項４】
多角形が三角形である、請求項１に記載の物体。
【請求項５】
前記導電性表面のシート抵抗が、前記導電性セグメントのシート抵抗よりも大きい、請求項１に記載の物体。
【請求項６】
前記導電性表面のシート抵抗が、前記導電性セグメントのシート抵抗よりも少なくとも１０倍大きい、請求項１に記載の物体。
【請求項７】
少なくとも１本の行の少なくとも１つの周縁部において、前記中間部および端部の導電性セグメントが、長さがほぼ等しい、請求項１に記載の物体。
【請求項８】
所定の行におけるすべての中間部のセグメントが、長さがほぼ等しい、請求項１に記載の物体。
【請求項９】
最も外側の行における導電性セグメントの数が奇数である、請求項１に記載の物体。
【手続補正書】
【提出日】平成18年6月20日(2006.6.20)
【手続補正１】
【補正対象書類名】特許請求の範囲
【補正対象項目名】全文
【補正方法】変更
【補正の内容】
【特許請求の範囲】
【請求項１】
通信システムにおけるキー発生に関する方法であって、下記を具備する：
無線ローカル・エリア・ネットワーク（ＷＬＡＮ）へのアクセスを認証すること；
アクセスに関するマスタ・セッション・キー（ＭＳＫ）を発生すること；及び
ＭＳＫを含んでいるアクセス承諾メッセージを送ること。
【請求項２】
請求項１記載の方法、ここにおいて、認証することは、下記を具備する：
ユーザ・アイデンティフィケーションを受信すること；
チャレンジ（challenge）値を決定すること；及び
共有秘密を決定すること、
並びに、ここにおいて、ＭＳＫを発生させることは、下記を具備する：
ユーザ・アイデンティフィケーション、チャレンジ値及び共有秘密をハッシング（hash）すること。
【請求項３】
請求項１記載の方法、ここにおいて、認証することは、下記を具備する：
ユーザ・アイデンティフィケーションを受信すること；
チャレンジ値を決定すること；及び
乱数値を決定すること、
並びに、ここにおいて、ＭＳＫを発生させることは、下記を具備する：
ユーザ・アイデンティフィケーション、チャレンジ値及び乱数値をハッシングすること。
【請求項４】
請求項２若しくは３記載の方法、ここにおいて、ユーザ・アイデンティフィケーションを受信することは、ネットワーク・アクセス識別子（ＮＡＩ）を受信することを具備する。
【請求項５】
通信システムにおけるキー発生に関する方法であって、下記を具備する：
無線ローカル・エリア・ネットワーク（ＷＬＡＮ）へのアクセスの認証を要請すること；
アクセスに関するマスタ・セッション・キー（ＭＳＫ）を含んでいるアクセス承諾メッセージを受信すること；及び
ＭＳＫの関数として少なくとも１つの暗号化キーを発生させること、ここにおいて、少なくとも１つの暗号化キーは、アクセスに関するトラヒックを暗号化するために使用される。
【請求項６】
通信システムにおけるキー発生に関する装置であって、下記を具備する：
無線ローカル・エリア・ネットワーク（ＷＬＡＮ）へのアクセスの認証を要請するための手段；
アクセスに関するマスタ・セッション・キー（ＭＳＫ）を含んでいるアクセス承諾メッセージを受信するための手段；及び
ＭＳＫの関数として少なくとも１つの暗号化キーを発生させるための手段、ここにおいて、少なくとも１つの暗号化キーはアクセスに関するトラヒックを暗号化するために使用される。
【請求項７】
通信システムにおける方法であって、下記を具備する：
通信システムへのアクセスに関するアクセス要請メッセージを受信すること、該アクセス要請メッセージは第１のフィールドを有する；
第１のフィールドの状態を決定すること；及び
状態が第１の値であるならば、アクセスに関するマスタ・セッション・キー（ＭＳＫ）を発生させること。
【請求項８】
請求項７記載の方法であって、更に下記を具備する：
アクセス承諾メッセージを送ること、ここにおいて、状態が第１の値であるならば、アクセス承諾メッセージは、ＭＳＫを含む。
【請求項９】
請求項７若しくは８記載の方法、ここにおいて、該方法は、更に下記を具備する：
アクセスを認証すること。
【請求項１０】
請求項９記載の方法、ここにおいて、アクセスを認証することは、下記を具備する：
ユーザ・アイデンティフィケーションを受信すること；
チャレンジ値を決定すること；及び
共有秘密を決定すること、
並びに、ここにおいて、ＭＳＫを発生することは、下記を具備する：
ユーザ・アイデンティフィケーション、チャレンジ値及び共有秘密をハッシングすること。
【請求項１１】
請求項９記載の方法、ここにおいて、アクセスを認証することは、下記を具備する：
ユーザ・アイデンティフィケーションを受信すること；
チャレンジ値を決定すること；及び
乱数値を決定すること、
並びに、ここにおいて、ＭＳＫを発生することは、下記を具備する：
ユーザ・アイデンティフィケーション、チャレンジ値及び乱数値をハッシングすること。
【請求項１２】
請求項７−１１のいずれか１に記載の方法、ここにおいて、第１のフィールドは、暗号化をサポートしない通信システムのエンティティへのアクセスを指示する属性に、若しくはアクセス要請メッセージの開始を指示する属性に対応する。
【請求項１３】
請求項１２記載の方法、ここにおいて、エンティティは、無線ローカル・エリア・ネットワーク（ＷＬＡＮ）である。
【請求項１４】
通信システムにおけるインフラストラクチャ・エレメントであって、下記を具備する：
通信システムへのアクセスに関するアクセス要請メッセージを受信するための手段、該アクセス要請メッセージは、第１のフィールドを有する；
第１のフィールドの状態を決定するための手段；及び
状態が第１の値であるならば、アクセスに関するマスタ・セッション・キー（ＭＳＫ）を発生させるための手段。
【請求項１５】
通信システムに関するアクセス要請メッセージ・フォーマットであって、下記を具備する：
通信システムへのアクセスに関する属性情報のタイプを識別するタイプ・フィールド；及び
属性情報に関する値フィールド、該値フィールドは、下記を具備する：
アクセスに関する下位属性（sub-attribute）情報のタイプを識別する第２のタイプ・フィールド；及び
下位属性情報に関する第２の値フィールド。
【請求項１６】
請求項１５記載のアクセス要請メッセージ・フォーマット、ここにおいて、下位属性情報は、マスタ・セッション・キー（ＭＳＫ）発生命令である。
【手続補正書】
【提出日】平成18年5月2日(2006.5.2)
【手続補正１】
【補正対象書類名】特許請求の範囲
【補正対象項目名】全文
【補正方法】変更
【補正の内容】
【特許請求の範囲】
【請求項１】
メモリアレイ（１０）を試験するための方法において、
複数のメモリセルで前記メモリアレイを実装する段階であって、前記メモリセルは各々複数のトランジスタを含む段階と、
前記メモリアレイを書き込む段階と、
前記メモリアレイにある複数のビット線及び相補ビット線を、前記複数のビット線及び相補ビット線各々をそれぞれ所定の第１電圧及び所定の第２電圧に充電することによって、コンディショニングする段階であって、前記所定の第１電圧及び前記所定の第２電圧は、前記メモリアレイの完全に機能するビットのビット状態を、前記完全に機能するビットがアドレス指定される時、変更しない値を有する前記段階と、
所定のワード線を活性化する段階であって、前記所定のワード線は、メモリセル行を選択し、また、前記メモリセル行にある各メモリセルの前記複数のトランジスタ全てを電気的導通状態にする前記段階と、
前記所定のワード線を読み出す段階と、
前記所定のワード線を読み出す前記段階からの結果を、前記所定のワード線に書き込まれたビット値と比較し、前記所定のワード線における何れかのメモリセルビット状態が修正されたかどうかを判断する段階と、
修正されたメモリセルが前記試験に不合格であると特定する段階と、
からなる方法。
【請求項２】
請求項１に記載の方法において、更に、
同じ電圧電位を前記第１所定電圧及び前記第２所定電圧に用いる段階が含まれる方法。
【請求項３】
請求項１に記載の方法において、更に、
前記所定のワード線の活性化に先立ち、前記複数のビット線各々にそのそれぞれの相補ビット線を電気的に直接接続する段階であって、前記電気的に直接接続する段階は、前記所定の第１電圧及び前記所定の第２電圧を調整してほぼ等しくする段階が含まれる方法。
【請求項４】
ビット機能試験回路を有するメモリアレイ（１０）において、
複数のメモリセル（例えば、１２）であって、前記メモリセルは、各々複数のトランジスタ（例えば、７０、７４、７８、８０）を含む前記複数のメモリセルと、
前記複数のメモリセルに接続され、前記メモリアレイに書き込むための回路（１４、１６）と、
前記メモリアレイにある複数のビット線及び相補ビット線を、前記各複数のビット線及び相補ビット線各々をそれぞれ所定の第１電圧及び所定の第２電圧に充電することによっ
て、コンディショニングするための試験回路（１８、２０、２１、２２）であって、前記所定の第１電圧及び前記所定の第２電圧は、前記メモリアレイの完全に機能するビットのビット状態を、前記完全に機能するビットがアドレス指定される時、変更しない値を有し、前記試験回路は、また、所定のワード線を活性化し、前記所定のワード線は、メモリセル行を選択し、また、前記メモリセル行にある各メモリセルの前記複数のトランジスタ全てを電気的導通状態にし、あらゆる不良メモリセルは、前記活性化する段階に応答してビット状態を変更する前記試験回路と、
前記複数のメモリセルに接続された前記メモリセルのビット状態を出力するための手段（１６）と、
が含まれるメモリアレイ。
【請求項５】
メモリアレイの欠陥を検出する方法において、
現試験状態で前記メモリアレイを書き込む段階であって、前記メモリアレイはメモリセルの行及び列を有する前記段階と、
前記メモリアレイの一部のビット線、及び前記各一部のビット線用の対応するその相補ビット線を、前記各一部のビット線をそれぞれ所定電圧に充電することによって、コンディショニングする段階と、
前記一部のビット線の各ビット線をその対応する相補ビット線に接続する段階であって、前記一部のビット線の各ビット線及びその対応する相補ビット線上の合成電圧は、前記メモリアレイの欠陥がないメモリセルのいかなるメモリ状態も修正しない前記段階と、
前記メモリの所定のワード線を活性化する段階であって、前記活性化する段階は、所定行のメモリセルにある各メモリセルの複数のトランジスタ全てを電気的導通状態にする前記段階と、
前記所定のワード線内に含まれるいずれかのビットのメモリ状態を変えさせる段階であって、このようなビットは、メモリ状態の変化の結果として欠陥がある前記段階と、
が含まれる方法。
【手続補正書】
【提出日】平成18年5月26日(2006.5.26)
【手続補正１】
【補正対象書類名】特許請求の範囲
【補正対象項目名】全文
【補正方法】変更
【補正の内容】
【特許請求の範囲】
【請求項１】
情報担体上のマークによって表される情報を読み取るための装置であって、
前記マークから読み取り信号を生成するための走査ユニットと、
放射のビームを生成するための放射源及び光学素子と、
前記ビームをフォーカスさせることによりスポットを生成させるために、少なくとも１つの前記光学素子を制御するためのフォーカス手段と、
前記情報担体の表面をクリーニングするためのクリーニング手段と、
を有する装置において、
前記クリーニング手段は、前記情報担体の略表面に前記スポットをフォーカスさせるように前記フォーカス手段を制御することにより前記クリーニングを実行するための、及び前記放射源のパワーを制御するための制御手段を有することを特徴とする装置。
【請求項２】
前記制御手段は、前記放射源のパワーをパルスで制御するように構成される、請求項１に記載の装置。
【請求項３】
前記走査ユニットは、前記読み取り信号を生成するために及び／又は前記マークを記録するために、前記情報担体上のトラックを走査するための前記放射源及び少なくとも１つの前記光学素子を含む、請求項１に記載の装置。
【請求項４】
前記装置は、前記表面の汚れであり得るものを検出する検出手段を有し、前記制御手段は、前記汚れであり得るものが検出された前記表面の部分をクリーニングするように構成される、請求項１に記載の装置。
【請求項５】
前記検出手段は、前記表面の反射、前記読み取り信号中に発生したエラー及び前記走査ユニットによって生成されたトラッキング信号中のエラーの少なくとも１つに基づいて汚れを検出するように構成される、請求項４に記載の装置。
【請求項６】
前記制御手段は、検出されたエラーから径方向に外向きの方向に、前記汚れであり得るものが検出された前記表面の部分を繰り返し、及び前記トラックに含まれる位置情報に基づいて前記部分を位置特定するために前記情報担体の前記表面においてと情報層上のトラックにおいてとに交互にフォーカスさせるように前記フォーカス手段を切り換えて、のうちの少なくとも１つの方法でクリーニングを実行するように構成される、請求項４に記載の装置。
【請求項７】
前記制御手段は、エラーが検出された場合にマークの読み取り又は記録を中断することにより、読み取り又は記録が必要とされない瞬間においてバックグラウンド処理として、及び前記情報担体を前記装置に挿入した後に、のうちの少なくとも１つの時点にクリーニングを実行するように構成される、請求項１に記載の装置。
【請求項８】
前記光学素子は、前記スポットの移動の方向に垂直な長円形の形状を持つスポットを生成するための素子を含み、前記素子はとりわけ円柱形のレンズである、請求項１に記載の装置。
【請求項９】
前記装置は、前記クリーニングによって前記情報担体の表面から除去された粒子を付着するための汚れ収集手段を備え、とりわけ前記情報担体を囲む前記装置の内壁の少なくとも一部が高い表面エネルギーを持つ物質によって被覆される、請求項１に記載の装置。
【請求項１０】
請求項１に記載の装置における使用のための情報担体であって、保護カートリッジを備えた情報担体において、前記カートリッジが、前記クリーニングによって前記情報担体の表面から除去された粒子を付着するための汚れ収集手段を、前記情報担体の表面から或る距離において備え、とりわけ前記カートリッジの内壁の少なくとも一部が高い表面エネルギーを持つ物質によって被覆されることを特徴とする情報担体。
【手続補正書】
【提出日】平成18年5月17日(2006.5.17)
【手続補正１】
【補正対象書類名】特許請求の範囲
【補正対象項目名】全文
【補正方法】変更
【補正の内容】
【特許請求の範囲】
【請求項１】
ユーザプロファイルを既存ユーザプロファイルに基づいて充実化させる方法であって、
新ユーザプロファイル用の基本特徴を指定し、
前記新ユーザプロファイルを、前記基本特徴に基づいて、既存ユーザプロファイルのクラスタ領域に関連づけ、
前記新ユーザプロファイルを前記既存ユーザプロファイルで定義された特徴で充実化させる
ことを特徴とする方法。
【請求項２】
請求項１記載の方法であって、前記充実化された新ユーザプロファイルに基づいて推薦を行うことをさらに含むことを特徴とする方法。
【請求項３】
請求項１記載の方法であって、前記関連付けステップの前に、クラスタ領域にグループ化された既存ユーザプロファイルを提供することをさらに含むことを特徴とする方法。
【請求項４】
請求項３記載の方法であって、前記クラスタ領域は、特定のクラスタ領域内の既存ユーザプロファイルが、他のクラスタ領域内の既存ユーザプロファイルに対するよりも、前記特定のクラスタ領域内の他の既存ユーザプロファイルに近接している、ボロノイ（Ｖｏｒｎｏｉ）クラスタ領域であることを特徴とする方法。
【請求項５】
請求項１記載の方法であって、前記関連付けステップは、
前記新ユーザプロファイルの前記基本特徴を、既存ユーザプロファイルの定義された特徴と比較し、前記新ユーザプロファイルに類似した既存ユーザプロファイルを識別し、
前記新ユーザプロファイルを、類似した既存ユーザプロファイルを有するクラスタ領域に関連付ける
ことを含むことを特徴とする方法。
【請求項６】
請求項１記載の方法であって、前記基本特徴及び前記定義された特徴は、番組、チャンネル、俳優、及びジャンルから成る組から選択されたユーザプリファレンスを含むことを特徴とする方法。
【請求項７】
ユーザプロファイルを既存ユーザプロファイルに基づいて充実化させる方法であって、
ボロノイクラスタ領域にグループ化された複数の既存ユーザプロファイルを提供し、
新ユーザプロファイル用の基本特徴を指定し、
前記新ユーザプロファイルを、前記基本特徴に基づいて、前記ボロノイクラスタ領域の一つに関連づけ、
前記新ユーザプロファイルを前記既存ユーザプロファイルで定義された特徴で充実化させる
ことを特徴とする方法。
【請求項８】
請求項７記載の方法であって、前記充実化されたユーザプロファイルに基づいて推薦を行うことをさらに含むことを特徴とする方法。
【請求項９】
請求項７記載の方法であって、前記関連付けステップは、
前記新ユーザプロファイルの前記基本特徴を、既存ユーザプロファイルの定義された特徴と比較し、前記新ユーザプロファイルに類似した既存ユーザプロファイルを識別し、
前記新ユーザプロファイルを、類似した既存ユーザプロファイルを有するクラスタ領域に関連付ける
ことを含むことを特徴とする方法。
【請求項１０】
請求項７記載の方法であって、前記基本特徴及び前記定義された特徴は、番組、チャンネル、俳優、及びジャンルから成る組から選択されたユーザプリファレンスを含むことを特徴とする方法。
【請求項１１】
ユーザプロファイルを既存ユーザプロファイルに基づいて充実化させるシステムであって、
新ユーザプロファイル用の基本特徴を指定する指定システムと、
前記新ユーザプロファイルを、前記基本特徴に基づいて、前記ボロノイクラスタ領域の一つに関連づける関連付けシステムと、
前記新ユーザプロファイルを前記既存ユーザプロファイルで定義された特徴で充実化させる充実化システムと
を有することを特徴とするシステム。
【請求項１２】
請求項１１記載のシステムであって、前記充実化されたユーザプロファイルに基づいて推薦を行う推薦システムをさらに含むことを特徴とするシステム。
【請求項１３】
請求項１１記載のシステムであって、複数の既存ユーザプロファイルをクラスタ領域にグループ化するクラスタシステムをさらに含むことを特徴とするシステム。
【請求項１４】
請求項１３記載のシステムであって、前記クラスタ領域は、特定のクラスタ領域内の既存ユーザプロファイルが、他のクラスタ領域内の既存ユーザプロファイルに対するよりも、前記特定のクラスタ領域内の他の既存ユーザプロファイルに近接している、ボロノイクラスタ領域であることを特徴とするシステム。
【請求項１５】
請求項１１記載の方法であって、前記関連付けシステムは、
前記新ユーザプロファイルの前記基本特徴を、既存ユーザプロファイルの定義された特徴と比較し、前記新ユーザプロファイルに類似した既存ユーザプロファイルを識別する比較システムを有することを特徴とするシステム。
【請求項１６】
請求項１１記載のシステムであって、前記基本特徴及び前記定義された特徴は、番組、チャンネル、俳優、及びジャンルから成る組から選択されたユーザプリファレンスを含むことを特徴とするシステム。
【請求項１７】
ユーザプロファイルを既存ユーザプロファイルに基づいて充実化させる、記録媒体に格納されたプログラムであって、実行時に、
新ユーザプロファイル用の基本特徴を指定するプログラムコードと、
前記新ユーザプロファイルを、前記基本特徴に基づいて、既存ユーザプロファイルのクラスタ領域に関連づけるプログラムコードと、
前記新ユーザプロファイルを前記既存ユーザプロファイルで定義された特徴で充実化させるプログラムコードと
を含むことを特徴とするプログラム。
【請求項１８】
請求項１７記載のプログラムであって、前記充実化された新ユーザプロファイルに基づいて推薦を行うプログラムコードをさらに含むことを特徴とするプログラム。
【請求項１９】
請求項１７記載のプログラムであって、複数の既存ユーザプロファイルをクラスタ領域にグループ化するプログラムコードをさらに含むことを特徴とするプログラム。
【請求項２０】
請求項１９記載のプログラムであって、前記クラスタ領域は、特定のクラスタ領域内の既存ユーザプロファイルが、他のクラスタ領域内の既存ユーザプロファイルに対するよりも、前記特定のクラスタ領域内の他の既存ユーザプロファイルに近接している、ボロノイ（Ｖｏｒｎｏｉ）クラスタ領域であることを特徴とするプログラム。
【請求項２１】
請求項１７記載のプログラムであって、前記関連付け用プログラムコードは、前記新ユーザプロファイルの前記基本特徴を、既存ユーザプロファイルの定義された特徴と比較し、前記新ユーザプロファイルに類似した既存ユーザプロファイルを識別するプログラムコードを含むことを特徴とするプログラム。
【請求項２２】
請求項１７記載のプログラムであって、前記基本特徴及び前記定義された特徴は、番組、チャンネル、俳優、及びジャンルから成る組から選択されたユーザプリファレンスを含むことを特徴とするプログラム。
【手続補正書】
【提出日】平成18年6月12日(2006.6.12)
【手続補正１】
【補正対象書類名】特許請求の範囲
【補正対象項目名】全文
【補正方法】変更
【補正の内容】
【特許請求の範囲】
【請求項１】
ユーザーにより選択された取引戦略に基づいて証券取引執行の取引コストを見積もる方法であって、
通信ネットワークに接続され、特定の戦略の取引コスト最適化アルゴリズムでプログラムされたサーバーを備えるステップと、
ユーザーからの提案された取引執行のパラメータを定義するデータおよびユーザー選択による取引戦略を特定するデータを、前記ネットワークを通じて前記サーバーにおいて受信するステップと、
前記ユーザー選択による取引戦略および市場データに基づいて、受信した提案された取引執行の取引コストを評価し、前記ユーザー選択による取引戦略の下において前記取引コストを最小化するものと前記特定の戦略の取引コスト最適化アルゴリズムによって決定された行動を推奨し、それによりユーザーが前記取引を実行する際に前記行動を取ることによって取引コストを最小化できるようにするステップと、
を備え、
前記ユーザー選択による取引戦略は、あらかじめ定義された複数の取引スタイルの中から選択可能であるか、あるいは前記ユーザーによって指定可能である、
方法。
【請求項２】
前記ネットワークを通じて評価報告を顧客に提供するステップを更に備える請求項１に記載の方法。
【請求項３】
調整ファクターにより取引の困難性および市況に応じた調整を行い、異なる環境や取引条件の下で実行される取引の正確な比較を可能にする、請求項１に記載の方法。
【請求項４】
前記調整ファクターは、取引の困難性の測度の統計的分析に基づいて、日毎の各証券についての予測取引コストを提供する、請求項１に記載の方法。
【請求項５】
通信ネットワークを介して複数のサーバーが複数の顧客と接続され、顧客は、該顧客のリスク回避プロフィールと仮想的取引注文特性とを、前記通信ネットワークを介して、取引コスト最適化に関連付けられたサーバーへ入力する、請求項１に記載の方法。
【請求項６】
データセット中の関連するデータおよびトレンドを特定すること、および取引パフォーマンスに影響を与えるファクターを見つけることをユーザーに可能とするためのユーザーインターフェースを備えるステップを更に備える請求項１に記載の方法。
【請求項７】
ユーザーは、考慮中のデータセットのサブセットを変更すること、および追加的な前処理を行わずにリアルタイム分析計算を行うことが可能である、請求項６に記載の方法。
【請求項８】
ユーザーは、追加的な前処理を行わずに新たなユーザー集合を追加することが可能である、請求項６に記載の方法。
【請求項９】
前記サーバーは、証券価格データベースに対する直接的インターフェースを提供して、取引コスト分析結果をリアルタイムに表示することができるように、適合されている、請求項１に記載の方法。
【請求項１０】
前記取引コストのアルゴリズムは、価格に基づくベンチマークの日内計算を可能にする、請求項１に記載の方法。
【請求項１１】
各サーバーは、顧客によって設定された特定の取引戦略に従って取り引きされる一または複数の証券の取引コストの評価を希望する前記顧客から、通信ネットワークを介して、注文提案および他の顧客入力データを直接に受信するものであり、すべてのサーバーは、複数の取引の仕向先に対するアクセスを有し、リアルタイムおよび履歴の市場データおよびリアルタイムの分析データに対するアクセスを有し、各サーバーは、通信ネットワーク上の他のサーバーに対するアクセスを有し、それにより、市場データおよび履歴データやデータの編集物が前記サーバ間で交換できるようにし、前記サーバーがより効率的に相互動作することができるようにする、請求項５に記載の方法。
【請求項１２】
前記取引コストの評価において、一時的価格インパクト、永続的価格インパクトおよび価格改善ファクターが考慮される、請求項１に記載の方法。
【請求項１３】
前記取引コストの評価は、前記ユーザーにより選択された前記取引戦略の下での取引コストを最適化するために、前記取引戦略に従って多数の継続期間ビンの各々について特定のシェア量の取引執行を推奨する、請求項１に記載の方法。
【請求項１４】
ユーザーにより選択されたリスク値に従って、提案された証券の取引執行のコストを評価および最適化するためのシステムであって、
複数のサーバーを備え、各サーバーは、特定の取引コストの評価および最適化のアルゴリズムでプログラムされており、前記ユーザーから、提案された取引注文のパラメータを特定するデータを受信し、前記ユーザーが選択したリスク値および市場データに基づいて、受信した前記提案された取引の執行の取引コストを評価し、そして、前記ユーザーの選択したリスク値の下で前記取引コストを最小化するものであると前記の特定の戦略の取引コストの最適化のアルゴリズムによって決定された行動を推奨し、それにより前記ユーザーが前記取引を執行する際に前記行動を取ることによって取引コストを最小化できるものであり、
前記複数のサーバーは、通信ネットワークを介して複数のクライアントに接続され、ユーザーは、クライアントにおいて、選択したリスク値および提案する取引注文のパラメータを特定するデータを入力し、これらを、前記クライアントから前記通信ネットワークを介して、前記取引コストの評価および最適化を実行するサーバーへ送信し、そして、選択されたデータに基づく前記取引コストの評価を、前記通信ネットワークを介して前記サーバーから受信する、
システム。
【手続補正書】
【提出日】平成18年3月17日(2006.3.17)
【手続補正１】
【補正対象書類名】特許請求の範囲
【補正対象項目名】請求項４
【補正方法】変更
【補正の内容】
【請求項４】
前記記憶ステップＡ−２）が、前記ペアの前記画像を記憶するステップであることを特徴とする、請求項１乃至３に記載の電子鍵を生成するための方法。
【手続補正２】
【補正対象書類名】特許請求の範囲
【補正対象項目名】請求項６
【補正方法】変更
【補正の内容】
【請求項６】
前記パラメータΠが、例えば、３、１７のような前記公開指数ｅの通常の値を含むことを特徴とする、請求項２乃至５に記載の電子鍵を生成するための方法。
【手続補正３】
【補正対象書類名】特許請求の範囲
【補正対象項目名】請求項９
【補正方法】変更
【補正の内容】
【請求項９】
ある数ｊおよびｋを、メモリ内に記憶しているシードσから生成することができることを特徴とする、請求項３乃至８に記載の電子鍵を生成するための方法。
【手続補正書】
【提出日】平成18年2月28日(2006.2.28)
【手続補正１】
【補正対象書類名】特許請求の範囲
【補正対象項目名】請求項１５
【補正方法】変更
【補正の内容】
【請求項１５】
放射線源により画像提供ユニットを介して可視波長領域以外の電磁放射線で照射される投影スクリーンにして、この投影スクリーンが放射線感応性の面を備えていて、この面が前記の不可視放射線での励起時に可視波長領域内の蛍光を放射し得るという投影スクリーン上にて情報を画像提供描写するための方法であって、特に請求項１〜１４のいずれか一項に記載した投影システムを使用する方法において、
異なる色の蛍光が、場所に依存せず異なる波長の蛍光を励起放射線の波長に依存して放出する材料から成る、投影スクリーンの放射線感応性の面により、不可視電磁放射線の波長を変えることにより放射されることを特徴とする方法。
【手続補正２】
【補正対象書類名】明細書
【補正対象項目名】発明の名称
【補正方法】変更
【補正の内容】
【発明の名称】蛍光・投影スクリーンと、不可視スペクトル内で放出する放射線源とを備えた投影システム、並びに投影方法
【手続補正３】
【補正対象書類名】明細書
【補正対象項目名】００２８
【補正方法】変更
【補正の内容】
【００２８】
この課題は、本発明に従い、請求項１５に記載した前提部と関連し、異なる色の蛍光が、場所に依存せず異なる波長の蛍光を励起放射線の波長に依存して放出する材料から成る、投影スクリーンの放射線感応性の面により、不可視電磁放射線の波長を変えることにより放射されることによって解決される。
【手続補正書】
【提出日】平成18年1月20日(2006.1.20)
【手続補正１】
【補正対象書類名】特許請求の範囲
【補正対象項目名】全文
【補正方法】変更
【補正の内容】
【特許請求の範囲】
【請求項１】
独立したビデオストリームとして符号化された複数の空間的ピースに分割されたビデオを配信するための方法において、
−複数のビデオストリームを、1又は複数のユーザに、自由に異なった時間に送信するステップと、
−ミッシングビデオストリームと呼ばれる少なくとも1つの他のビデオストリームを1又は複数のユーザに条件付きでオファーするステップと、
−前記条件付きオファーを受諾した1又は複数のユーザに前記ミッシングビデオストリームを送信するステップと、
を有する方法。
【請求項２】
請求項1に記載のビデオを配信するための方法において、更に、前記ミッシングビデオストリームのコピーを防止するための防止ステップを有することを特徴とする方法。
【請求項３】
請求項2に記載のビデオを配信するための方法において、ユーザは固有の識別子によって識別され、前記防止ステップは、
−前記条件付きオファーを受諾した前記ユーザの前記固有の識別子を回収するステップと、
−他の識別子によって識別されるユーザによる前記ミッシングビデオストリームの使用を防止するために、前記ミッシングビデオストリームを前記固有の識別子でマークするステップと、
を有する、ことを特徴とする方法。
【請求項４】
請求項1に記載のビデオを配信するための方法において、更に、ユーザによる前記条件付きオファーの受諾は、前記ユーザからの支払を含む、ことを特徴とする方法。
【請求項５】
請求項1に記載のビデオを配信するための方法において、前記配信はインターネット上で行われる、ことを特徴とする方法。
【請求項６】
独立したビデオストリームとして符号化された複数の空間的ピースに分割されたビデオを配信するためのサーバにおいて、
−複数のビデオストリームを、1又は複数のユーザに、自由に異なった時間に送信するための手段と、
−ミッシングビデオストリームと呼ばれる少なくとも1つの他のビデオストリームを1又は複数のユーザに条件付きでオファーするための手段と、
−前記条件付きオファーを受諾した1又は複数のユーザに前記ミッシングビデオストリームを送信するための手段と、
を有するサーバ。
【請求項７】
−独立したビデオストリームとして符号化された複数の空間的ピースに分割されたビデオを配信するためのサーバと、
−複数のユーザ端末装置と、
−伝送ネットワークと、
を少なくとも有する伝送システムにおいて、前記サーバは、
−複数のビデオストリームを、1又は複数のユーザ端末装置に、自由に異なった時間に送信するための手段と、
−ミッシングビデオストリームと呼ばれる少なくとも1つの他のビデオストリームを1又は複数のユーザ端末装置に条件付きでオファーするための手段と、
−前記条件付きオファーを受諾した1又は複数のユーザ端末装置に前記ミッシングビデオストリームを送信するための手段と、
を有する、システム。
【請求項８】
請求項7に記載の伝送システムにおいて、ユーザ端末装置による前記条件付きオファーの受諾は、前記ユーザ端末装置からの支払を含意し、前記伝送ネットワークは、更に、オンライン支払を実行するためのトランザクションセンタを有することを特徴とするシステム。
【請求項９】
プロセッサによって実行されたら請求項1乃至5の何れか1項に記載のビデオを配信する方法を実行するためのプログラム命令を有するコンピュータプログラム。
【手続補正書】
【提出日】平成17年10月28日(2005.10.28)
【手続補正１】
【補正対象書類名】特許請求の範囲
【補正対象項目名】全文
【補正方法】変更
【補正の内容】
【特許請求の範囲】
【請求項１】
単離された核酸分子であって、
配列番号１、３、および５からなる群より選択される核酸配列
を含む、核酸分子。
【請求項２】
単離されたポリペプチドであって、
配列番号２、４、および６からなる群より選択されるアミノ酸配列
を含む、ポリペプチド。
【請求項３】
タンパク質を発現するための発現ベクターであって、該ベクターは、配列番号２、４または６のアミノ酸配列を含む、発現ベクター。
【請求項４】
請求項３に記載の発現ベクターであって、前記タンパク質が、親和性タグをさらに含む、発現ベクター。
【請求項５】
請求項３に記載の発現ベクターであって、該発現ベクターが、配列番号１、３、または５の核酸配列を含む、発現ベクター。
【請求項６】
請求項３に記載の発現ベクターを含む、形質転換宿主細胞。
【請求項７】
請求項６に記載の形質転換宿主細胞であって、真核生物細胞である、形質転換宿主細胞。
【請求項８】
請求項７に記載の形質転換宿主細胞であって、前記真核生物細胞が、ヒト細胞、ラット細胞、またはマウス細胞である、形質転換宿主細胞。
【請求項９】
請求項６に記載の形質転換宿主細胞であって、原核生物細胞である、形質転換宿主細胞。
【請求項１０】
請求項９に記載の形質転換宿主細胞であって、前記原核生物細胞が、細菌細胞である、形質転換宿主細胞。
【請求項１１】
請求項３の発現ベクターで形質転換された細胞により発現される、精製融合タンパク質。
【請求項１２】
移動可能な支持体に結合している、請求項１１に記載の融合タンパク質。
【請求項１３】
請求項１２に記載の融合タンパク質であって、共有結合相互作用または非共有結合相互作用によって結合している、融合タンパク質。
【請求項１４】
請求項１３に記載の融合タンパク質であって、結合により結合しており、該結合は、金属、ＣＯ２＋−ヘキサヒスチジン複合体、Ｎｉ２＋−ヘキサヒスチジン複合体、ビオチン結合タンパク質、グルタチオンＳ−トランスフェラーゼ／グルタチオン複合体、モノクローナル抗体／抗原複合体、マルトース結合タンパク質／マルトース複合体、およびプルロニックカップリングからなる群より選択される、融合タンパク質。
【請求項１５】
請求項１４に記載の融合タンパク質であって、前記ビオチン結合タンパク質が、ストレプトアビジン、およびアビジンからなる群より選択される、融合タンパク質。
【請求項１６】
請求項１２に記載の融合タンパク質であって、前記移動可能な支持体が、ビーズ、光ファイバー、およびガラス表面からなる群より選択される、融合タンパク質。
【請求項１７】
請求項１６に記載の融合タンパク質であって、前記ビーズが、ニッケル−アガロースビーズ、または磁気多孔質ガラス−ストレプトアビジンビーズである、融合タンパク質。
【請求項１８】
サンプル核酸配列中の標的位置における塩基を同定する方法であって、該方法が、
サンプル核酸およびプライマーを提供する工程であって、該プライマーが、該標的位置に直ぐ隣接するサンプル核酸にハイブリダイズする工程、
該サンプル核酸およびプライマーをヌクレオチドの存在下でポリメラーゼ反応に供する工程であって、これによって、該ヌクレオチドが該標的位置の塩基に相補的な場合にのみ、該ヌクレオチドが、組み込まれる工程、ならびに
無機ピロホスフェートの放出をモニタリングすることによって、該ヌクレオチドの組み込みを検出する工程であって、これによって、該ヌクレオチドの組み込みの検出が、該ヌクレオチドに相補的な標的位置における塩基の同定を示し、ここで、無機ピロホスフェートの放出が、熱安定性スルフリラーゼ−ルシフェラーゼ融合タンパク質または熱安定性スルフリラーゼを使用して検出される、工程、
を包含する、方法。
【請求項１９】
請求項１８に記載の方法であって、前記熱安定性スルフリラーゼ−ルシフェラーゼ融合タンパク質または熱安定性スルフリラーゼが、配列番号２、配列番号４、または配列番号６に対して少なくとも９６％相同なアミノ酸を含む、方法。
【請求項２０】
請求項１８に記載の方法であって、前記熱安定性スルフリラーゼ−ルシフェラーゼ融合タンパク質または熱安定性スルフリラーゼが、配列番号１、３、または５のオープンリーディングフレームによってコードされる、方法。
【請求項２１】
請求項１８に記載の方法であって、前記熱安定性スルフリラーゼ−ルシフェラーゼ融合タンパク質または熱安定性スルフリラーゼが、親和性タグをさらに含む、方法。
【請求項２２】
請求項１８に記載の方法であって、前記熱安定性スルフリラーゼ−ルシフェラーゼ融合タンパク質または熱安定性スルフリラーゼが、ビーズに結合されている、方法。
【手続補正書】
【提出日】平成17年12月2日(2005.12.2)
【手続補正１】
【補正対象書類名】特許請求の範囲
【補正対象項目名】全文
【補正方法】変更
【補正の内容】
【特許請求の範囲】
【請求項１】
複数のチャネルの各々にて信号を受信するためのＡＤＣ（５）を備えた受信機（２）と、前記チャネルの各々にて信号を送信するためのＤＡＣ（２２）を備えた送信機（３）とを備えている通信回路であって、
前記受信機は前記チャネル上の着信シンボル・ストリームをオーバーサンプリングするため、同じクロックで前記各ＡＤＣ（５）を駆動する手段（１０、１１、１２）を備え、および
前記送信機（３）は前記受信機によって使用されるクロックと同じクロックで前記ＤＡＣ（２２）の各々を駆動する手段を備えていることを特徴とする通信回路。
【請求項２】
前記受信機のＡＤＣオーバーサンプリング・レートはシンボル・レートより少なくとも２倍大きい請求項１に記載の通信回路。
【請求項３】
前記受信機は各チャネル用に最適な位相を再生するためのデジタル・フィルタを備えている請求項１または２のいずれか１項に記載の通信回路。
【請求項４】
前記受信機はダウンサンプリング手段を備えている請求項１乃至３のいずれか１項に記載の通信回路。
【請求項５】
前記受信機は各チャネルに関連する分数間隔等化器を備え、前記各々の分数間隔等化器は前記デジタル・フィルタと前記ダウンサンプリング手段とを備えている請求項３または４のいずれか１項に記載の通信回路。
【請求項６】
前記各々の分数間隔等化器は、データ値がシンボル周期未満だけ分離されるフィルタと、前記シンボル・レートへのダウンサンプリングに先立ってチャネルの等化を実行するための係数を用いてデータ値を直線的に結合する手段とを備えている請求項５に記載の通信回路。
【請求項７】
前記回路はある周波数にロックし、前記受信機ＡＤＣと前記送信機ＤＡＣの全てを駆動する手段を備えた単一の位相ロック・ループ回路を備えている請求項１乃至６のいずれか１項に記載の通信回路。
【請求項８】
前記受信機は着信シンボルから受信したマスター・クロックを再生するためのタイミング再生回路を備えている請求項１乃至７のいずれか１項に記載の通信回路。
【請求項９】
前記受信機はデジタル論理切り換えノイズがない期間の近くで、またはその期間の間に前記ＡＤＣを駆動する手段を備えている請求項１乃至８のいずれか１項に記載の通信回路。
【請求項１０】
請求項１乃至９のいずれか１項に記載の通信回路を備えている送受信機。